(57)【要約】【課題】設計光軸に対するビームスプリッタ光軸角度を高精度に調整できる光ピックアップ、その組立方法及びその組立装置を提供すること。【解決手段】光ピックアップのハウジング１０において、その光学部品取付面１１ａのビームスプリッタ取付位置近傍に、ビームスプリッタを当接させて仮位置決めさせる仮位置決め凸部１３を形成する。さらに、ハウジング１０のビームスプリッタ取付位置に、３本以上の突起棒を挿通させてビームスプリッタの取付対向面に対して押し引きさせることにより取付対向面の角度を変え、スプリッタ光軸を設計光軸に一致する調整を可能とする前記突起棒に対応する数の貫通孔１４を形成する。【選択図】    図３
2004164805.tif 000002
【特許請求の範囲】
【請求項１】
ハウジングと、このハウジングのビームスプリッタ取付位置にスプリッタ光軸を設計光軸に一致させるべく接着剤にて固定されるビームスプリッタとを備えた光ピックアップであって、前記ハウジングは、そのビームスプリッタ取付位置近傍に、ビームスプリッタを当接させて仮位置決めさせる仮位置決め凸部を有し、かつビームスプリッタ取付位置に、この仮位置決め凸部にビームスプリッタを当接させ、かつ前記接着剤の未硬化状態において、３本以上の突起棒をそれぞれ挿通させてビームスプリッタの取付対向面を押し引きさせることにより前記取付対向面の角度を変え、前記スプリッタ光軸を設計光軸に一致させる調整を可能とする前記突起棒に対応する数の貫通孔を有することを特徴とする光ピックアップ。
【請求項２】
ハウジングが、そのビームスプリッタ取付位置に、接着剤を収容する接着剤収容凹部と、この接着剤収容凹部と連通し、ビームスプリッタに押え付けられて収容凹部から溢れ出た未硬化状態の接着剤を受容する予備凹部とを有する請求項１に記載の光ピックアップ。
【請求項３】
接着剤収容凹部が、ハウジングのビームスプリッタ取付位置の略中央に配置され、かつ貫通孔が、接着剤収容凹部の周囲に配置された請求項２に記載の光ピックアップ。
【請求項４】
ハウジングに取付けられ、ビームスプリッタからの光を対物レンズ側に反射する立上げミラーをさらに備えた請求項１〜３の何れか１つに記載の光ピックアップ。
【請求項５】
請求項１〜３の何れか１つに記載の光ピックアップを組み立てる光ピックアップの組立方法であって、ハウジングのビームスプリッタ取付位置に接着剤を塗布する接着剤塗布工程と、接着剤を介してハウジングのビームスプリッタ取付位置にビームスプリッタを仮位置決め状態で設置するビームスプリッタ設置工程と、接着剤の未硬化状態において、ビームスプリッタの取付対向面の角度を調整するビームスプリッタ角度調整工程とを備え、ビームスプリッタ角度調整工程が、ビームスプリッタに投光しその反射面で反射した光を検出しながら、ハウジングのビームスプリッタ取付位置に形成された貫通孔に、突起棒をそれぞれ挿通させ、各突起棒にてビームスプリッタの取付対向面に対して押し引きしてビームスプリッタ光軸を設計光軸に一致させるべく前記角度を調整すること特徴とする光ピックアップの組立方法。
【請求項６】
請求項４に記載の光ピックアップを組立てる光ピックアップの組立方法であって、ハウジングのビームスプリッタ取付位置に接着剤を塗布する接着剤塗布工程と、接着剤を介してハウジングのビームスプリッタ取付位置にビームスプリッタを仮位置決め状態で設置するビームスプリッタ設置工程と、接着剤の未硬化状態において、ビームスプリッタの取付対向面の角度を調整するビームスプリッタ角度調整工程とを備え、ビームスプリッタ角度調整工程が、前記立上げミラーに投光してその反射光をビームスプリッタに入射させ、ビームスプリッタの反射面にて反射した光を反射ミラーに照射し、反射ミラーを反射した逆光をビームスプリッタにて反射させ、かつ立上げミラーにて反射させて検出しながら、ハウジングのビームスプリッタ取付位置に形成された貫通孔に、突起棒をそれぞれ挿通させ、各突起棒にてビームスプリッタの取付対向面に対して押し引きしてビームスプリッタ光軸を設計光軸に一致させるべく前記角度を調整すること特徴とする光ピックアップの組立方法。
【請求項７】
請求項１〜３の何れか１つに記載の光ピックアップを組み立てる光ピックアップの組立装置であって、ハウジングを支持する支持手段と、接着剤を介してハウジングのビームスプリッタ取付位置に仮位置決め状態で設置されたビームスプリッタに投光する投光手段と、この投光手段にて投光されビームスプリッタの反射面で反射した光を検出する反射光検出手段と、接着剤の未硬化状態において、ビームスプリッタの取付対向面の角度を調整するビームスプリッタ角度調整手段とを備え、前記ビームスプリッタ角度調整手段が、ハウジングのビームスプリッタ取付位置に形成された貫通孔にそれぞれ挿通され、ビームスプリッタの取付対向面に対して押し引きしてビームスプリッタ光軸を設計光軸に一致させるべく前記角度を調整する前記貫通孔に対応する数の突起棒を有することを特徴とする光ピックアップの組立装置。
【請求項８】
請求項４に記載の光ピックアップを組み立てる光ピックアップの組立装置であって、ハウジングを支持する支持手段と、接着剤を介してハウジングのビームスプリッタ取付位置に仮位置決め状態で設置された立上げミラーに投光する投光手段と、この投光手段にて投光され立上げミラーを回折してビームスプリッタに入射し、ビームスプリッタの反射面を反射した光をビームスプリッタに向けて反射する反射ミラーと、前記投光手段と一体状に設けられ、かつ反射ミラーからビームスプリッタ及び立上げミラーを経由する逆光を検出する逆光検出手段と、接着剤の未硬化状態において、ビームスプリッタの取付対向面の角度を調整するビームスプリッタ角度調整手段とを備え、前記ビームスプリッタ角度調整手段が、ハウジングのビームスプリッタ取付位置に形成された貫通孔にそれぞれ挿通され、ビームスプリッタの取付対向面に対して押し引きしてビームスプリッタ光軸を設計光軸に一致させるべく前記角度を調整する前記貫通孔に対応する数の突起棒を有することを特徴とする光ピックアップの組立装置。
【請求項９】
突起棒は、ビームスプリッタの取付対向面に当接する頂部が丸みを有する請求項７又は８に記載の光ピックアップの組立装置。
【発明の詳細な説明】
【０００１】
【発明の属する技術分野】
本発明は、光ピックアップ及びその組立方法及びその組立装置に関し、詳しくは、光ディスクや光磁気ディスク等の情報記録媒体の情報を再生、消去及び記録のいずれかが可能な光ピックアップ及びその組立方法及びその組立装置に関する。
【０００２】
【従来の技術】
従来、光ピックアップとしては、レーザ光源と、ビームスプリッタと、コリメータレンズと、立上げミラーと、集光レンズ（対物レンズ）と、光検出器と、これらの各光学部品を収容するハウジングとを備えたものが公知である（例えば、特許文献１参照）。この光ピックアップのレーザ光源から出射されたレーザ光は、ビームスプリッタを通過してコリメータレンズにて平行光となり、この平行光は立上げミラーによって回折し、集光レンズによって集束光になり光ディスク上で微小なスポットに結像される。光ディスクによって反射された反射光は、集光レンズによって再び平行光となって立上げミラーを回折し、コリメータレンズを通過し、ビームスプリッタの反射面を反射して光検出器に至る。そして、光検出器によって検出された信号を元にして情報の記録、再生等が行われる。
【０００３】
図１２〜図１４は、このような従来の光ピックアップのビームスプリッタのハウジングへの取付構造を示し、図１２は従来の光ピックアップの一部断面側面図であり、図１３は同従来の光ピックアップにおけるビームスプリッタを示す要部拡大断面図であり、図１４は同従来の光ピックアップにおけるビームスプリッタを示す要部平面図である。
ハウジング１００は、その光学部品取付面（底面）１１１の部品取付位置に、ビームスプリタ３の側面に当接する当り面を有する３個の位置決め凸部１１３と、ビームスプリタ３の下面に当接する受け面を有する３個の支持凸部１１４とが設けられている。ビームスプリッタ３は、これら３個の位置決め凸部１１３と３個の支持凸部１１４に当接して姿勢位置が決められ、この状態で接着剤Ｓ′にて貼り付けられている。このビームスプリッタ３の貼付精度は、３個の位置決め凸部１１３と３個の支持凸部１１４の仕上がり精度により管理されているので、ビームスプリッタ３を部品取付位置に固定するだけで、ハウジング１００の光学部品取付面１１１と平行な揺動方向のビームスプリッタ３のスプリッタ光軸角度に関しては、３個の位置決め凸部１１３によって目標とする設計光軸に対して±５分以内の精度に保つことができ、かつハウジング１００の光学部品取付面１１１と接近離間する揺動方向のビームスプッリッタ３のスプリッタ光軸角度に関しては、３個の支持凸部１１４によって目標とする設計光軸に対して±１０分以内の精度に保つことができ、この位置でビームスプッリッタ３を接着剤Ｓ′により固定することができる。
【０００４】
【特許文献１】
特開２０００−２５１３１０号公報
【０００５】
【発明が解決しようとする課題】
しかしながら、図１４に示すように、接着剤Ｓ′を介してビームスプリッタ３をハウジング１００の光学部品取付面１１１に設置する際、ビームスプリッタ３によって接着剤Ｓ′が押し広げられ、この押し広げられた接着剤Ｓ′の形状が一定にならず、そのためビームスプリッタ３を固定する接着力（貼付け強度）が安定しないという問題があった。
また、ピックアップは、小型化が求められていると共に、ＤＶＤ（デジタル万能ディスク）の書き込みに対応することが求められている。このため、ハウジング１００の光学部品取付面１１１と接近離間する揺動方向のビームスプッリッタ３のスプリッタ光軸角度を目標とする設計光軸に対して±５分以内に抑える必要がある。しかし、ビームスプリッタ３の３個の支持凸部１１４の受け面の仕上がり誤差のため、スプリッタ光軸角度を目標の±５分以内に管理するのは困難であり、ビームスプリッタ光軸角度を高精度に調整できないという問題があった。
【０００６】
そこで、本発明の主要な目的の一つは、設計光軸に対するビームスプリッタ光軸角度を高精度に調整できる光ピックアップ、その組立方法及びその組立装置を提供することにある。
【０００７】
【課題を解決するための手段】
上述の目的を達成するために、本発明の光ピックアップは、ハウジングと、このハウジングのビームスプリッタ取付位置にスプリッタ光軸を設計光軸に一致させるべく接着剤にて固定されるビームスプリッタとを備えた光ピックアップであって、前記ハウジングは、そのビームスプリッタ取付位置近傍に、ビームスプリッタを当接させて仮位置決めさせる仮位置決め凸部を有し、かつビームスプリッタ取付位置に、この仮位置決め凸部にビームスプリッタを当接させ、かつ前記接着剤の未硬化状態において、３本以上の突起棒をそれぞれ挿通させてビームスプリッタの取付対向面を押し引きさせることにより前記取付対向面の角度を変え、前記スプリッタ光軸を設計光軸に一致させる調整を可能とする前記突起棒に対応する数の貫通孔を有するものである。
【０００８】
つまり、本発明の光ピックアップは、ビームスプリッタの仮位置決め凸部の当り面でビームスプリッタをハウジングのビームスプリッタ取付位置に仮位置決め可能で、かつハウジングのビームスプリッタ取付位置に少なくとも３個の貫通孔が形成され、各貫通孔のそれぞれに、後述する組立装置の突起棒を挿通可能な構造に構成されている。したがって、光ピックアップを組立てるに際して、接着剤の未硬化状態において、前記各突起棒を個々に変位させビームスプリッタの取付対向面に対して押し引きして、ハウジングの光学部品取付面に対するビームスプリッタの間隔及びビームスプリッタの取付対向面の角度を高精度に調整することができる。この結果、ハウジングの光学部品取付面と平行な揺動方向のビームスプリッタのスプリッタ光軸角度を、目標とする設計光軸に対して高精度（±５分以内）に保つことができることに加え、さらに、ハウジングの光学部品取付面と接近離間する揺動方向のビームスプッリッタのスプリッタ光軸角度を、目標とする設計光軸に対して高精度（±５分以内）に保つことができ、この位置でビームスプッリッタを接着剤により固定することができ、高精度な光ピックアップを得ることができる。
ここで、本発明において、ハウジングの光学部品取付面と平行な方向とは、ハウジングの光学部品取付面と垂直方向で、かつビームスプリッタの略中心を通る仮想軸の揺動方向であり、ハウジングの光学部品取付面と接近離間する揺動方向とは、ハウジングの光学部品取付面と平行で、かつビームスプリッタの略中心を通る仮想軸の揺動方向であると定義する。
【０００９】
本発明の光ピックアップが対象とする情報記録媒体としては、例えばＬＤ、ＣＤ、ＣＤ―ＲＯＭ、ＤＶＤ−ＲＯＭ、ＣＤ−Ｒ、ＤＶＤ−Ｒ、ＣＤ−ＲＷ、ＤＶＤ−ＲＷ、ＤＶＤ＋Ｒ、ＤＶＤ＋ＲＷ、ＤＶＤ−ＲＡＭ等の光ディスクや、ＭＯ、ＭＤ等の光磁気ディスクを挙げることができ、特に、光学部品の高い取付精度を要求する書き込み可能なＤＶＤ−Ｒ、ＤＶＤ−ＲＷ、ＤＶＤ＋Ｒ、ＤＶＤ＋ＲＷ、ＤＶＤ−ＲＡＭ等に対して本発明の光ピックアップを好適に使用することができる。
【００１０】
本発明において、ハウジングが、そのビームスプリッタ取付位置に、接着剤を収容する接着剤収容凹部と、この接着剤収容凹部と連通し、ビームスプリッタに押え付けられて収容凹部から溢れ出た未硬化状態の接着剤を受容する予備凹部とを有するものであるのもよい。
このように構成することにより、組立時において、接着剤収容凹部に一定量の接着剤を塗付しその上にビームスップリッタを載せると、ビームスプリッタの取付対向面（下面）で接着剤が押えられ、余分な接着剤が予備凹部に流れることにより、接着剤収容部の形状とほぼ同じ形状で広がった接着剤によりビームスップリッタをハウジングの光学部品取付面に接着することができる。このように、接着剤の塗れ面積を設定することができるので、ビームスップリッタの接着強度が一定に保たれ位置決め品質が安定すると共に、無駄な接着剤が無くなり、コスト低減を図ることができる。なお、接着剤としては、ある程度の時間的余裕をもって硬化するもの、あるいは光硬化性のものを用いることができる。
【００１１】
本発明において、接着剤収容凹部が、ハウジングのビームスプリッタ取付位置の略中央に配置され、かつ貫通孔が、接着剤収容凹部の周囲に配置されたものであるのもよい。
このようにすれば、光ピックアップの組立て時において、ビームスプリッタの取付対向面の角度を突起棒にて容易に調整することができると共に、接着剤がビームスプリッタの取付対向面の略中央で硬化するのでビームスプリッタに対する接着力に偏りをつくらない。
【００１２】
本発明において、光ピックアップのハウジングの光学部品取付面に取付けられる複数の光学部品としてビームスプリッタ以外には、１個又は２個のレーザ光源、コリメートレンズ、立上げミラー、対物レンズ、１個又は２個の光検出部等を挙げることができる。
【００１３】
本発明は、別の観点によれば、上記光ピックアップを組み立てる光ピックアップの組立方法であって、▲１▼立上げミラーよりも先にビームスプリッタをハウジングに組付ける場合の組立方法と、▲２▼立上げミラーをハウジングに組付けた後にビームスプリッタを組付ける場合の組立方法とが提供される。
【００１４】
上記▲１▼の光ピックアップの組立方法は、ハウジングのビームスプリッタ取付位置に接着剤を塗布する接着剤塗布工程と、接着剤を介してハウジングのビームスプリッタ取付位置にビームスプリッタを仮位置決め状態で設置するビームスプリッタ設置工程と、接着剤の未硬化状態において、ビームスプリッタの取付対向面の角度を調整するビームスプリッタ角度調整工程とを備え、ビームスプリッタ角度調整工程が、ビームスプリッタに投光しその反射面で反射した光を検出しながら、ハウジングのビームスプリッタ取付位置に形成された貫通孔に、突起棒をそれぞれ挿通させ、各突起棒にてビームスプリッタの取付対向面に対して押し引きしてビームスプリッタ光軸を設計光軸に一致させるべく前記角度を調整するものである。
【００１５】
つまり、ビームスプリッタに光源から光を入射させてビームスプリッタの反射面で反射させた反射光を光検出器で検出して、モニター等の画面表示を見ながら、設計光軸にビームスプリッタ光軸を合わせるようにビームスプリッタの取付対向面の角度を調整するため、調整を容易に行うことができる。
【００１６】
一方、上記▲２▼の光ピックアップの組立方法は、前記接着剤塗布工程と、前記ビームスプリッタ設置工程と、前記ビームスプリッタ角度調整工程とを備え、ビームスプリッタ角度調整工程が、前記立上げミラーに投光してその反射光をビームスプリッタに入射させ、ビームスプリッタの反射面にて反射した光を反射ミラーに照射し、反射ミラーを反射した逆光をビームスプリッタにて反射させ、かつ立上げミラーにて反射させて検出しながら、ハウジングのビームスプリッタ取付位置に形成された貫通孔に、突起棒をそれぞれ挿通させ、各突起棒にてビームスプリッタの取付対向面に対して押し引きしてビームスプリッタ光軸を設計光軸に一致させるべく前記角度を調整するものである。
この組立方法によれば、ビームスプリッタよりも先に立上げミラーをハウジングに組付ける組立工程を採用することができ、ビームスプリッタの組付けに際して、立上げミラーに対してビームスプリッタの位置調整を行うことで立上げミラーの位置調整を簡素化することができる。
【００１７】
なお、上記▲１▼▲２▼において、ビームスプリッタの調整位置決め基準は、ハウジングにビームスプリッタを固定した基準品の光軸を設計光軸として位置決め調整範囲を決定する。
【００１８】
本発明は、さらに別の観点によれば、上記▲１▼の場合の光ピックアップの組立装置と、上記▲２▼の場合の光ピックアップの組立装置とが提供される。
【００１９】
上記▲１▼の場合の光ピックアップの組立装置は、ハウジングを支持する支持手段と、接着剤を介してハウジングのビームスプリッタ取付位置に仮位置決め状態で設置されたビームスプリッタに投光する投光手段と、この投光手段にて投光されビームスプリッタの反射面で反射した光を検出する反射光検出手段と、接着剤の未硬化状態において、ビームスプリッタの取付対向面の角度を調整するビームスプリッタ角度調整手段とを備え、前記ビームスプリッタ角度調整手段が、ハウジングのビームスプリッタ取付位置に形成された貫通孔にそれぞれ挿通され、ビームスプリッタの取付対向面に対して押し引きしてビームスプリッタ光軸を設計光軸に一致させるべく前記角度を調整する前記貫通孔に対応する数の突起棒を有するものである。
【００２０】
前記支持手段としては、例えばハウジングの周縁部を保持して下面（取付対向面）を浮かせるような支持構造であれば特に限定されない。
投光手段としては、光ピックアップに使用されるのと同じ半導体レーザが用いられる。
反射光検出手段としては、ＣＲＴモニタや液晶モニタ等の画像表示装置にて画像を見ることができるように、ＣＣＤカメラやフォトダイオードアレー等の受光デバイスが用いられる。
【００２１】
ビームスプリッタ角度調整手段としては、先端頂部に丸みを有する少なくとも３本の突起棒と、各突起棒を保持しつつ突出方向・引込方向に変位させる変位機構とを備えた構成とすることができる。この変位機構としては、例えば、各突起棒を垂直に保持する複数の水平アーム部と、水平アーム部を支持する内支柱部及びこの内支柱部を上下動可能に保持する筒状の外ガイド支柱部と、調整ノブ及び調整を回転自在に保持する保持部と、外ガイド支柱部の側壁を貫通して内部に配置された調整ノブの内端に固着されたピニオン部材と、このピニオン部材と噛合する前記内支柱部の側面に上下長手方向に付設された図示しないラック部材とを備え、調整ノブを回すことにより内支柱部及び水平アーム部を上下方向に微小移動させ、突起棒を上下微動させる構造例を採用することができる。
このビームスプリッタ角度調整手段によれば、小型で操作も簡単であり、メンテナンスも容易に行うことができる。
【００２２】
上記▲２▼の場合の光ピックアップの組立装置は、ハウジングを支持する支持手段と、接着剤を介してハウジングのビームスプリッタ取付位置に仮位置決め状態で設置された立上げミラーに投光する投光手段と、この投光手段にて投光され立上げミラーを回折してビームスプリッタに入射し、ビームスプリッタの反射面を反射した光をビームスプリッタに向けて反射する反射ミラーと、前記投光手段と一体状に設けられ、かつ反射ミラーからビームスプリッタ及び立上げミラーを経由する逆光を検出する逆光検出手段と、接着剤の未硬化状態において、ビームスプリッタの取付対向面の角度を調整するビームスプリッタ角度調整手段とを備え、前記ビームスプリッタ角度調整手段が、ハウジングのビームスプリッタ取付位置に形成された貫通孔にそれぞれ挿通され、ビームスプリッタの取付対向面に対して押し引きしてビームスプリッタ光軸を設計光軸に一致させるべく前記角度を調整する前記貫通孔に対応する数の突起棒を有するものである。
この場合、支持手段及びビームスプリッタ角度調整手段としては、上記▲１▼と同様に構成することができる。また、投光手段及び逆光検出手段としては、受発光及び光学部品一体型ユニットを用いることができる。
【００２３】
【発明の実施の形態】
以下、本発明の実施の形態を図面に基づいて詳説する。なお、本発明は実施の形態に限定されるものではない。
【００２４】
［実施の形態１］
図１は本発明の実施の形態１の光ピックアップを示す平面図であり、図２は同実施の形態の光ピックアップを示す一部断面側面図であり、図３は同実施の形態１におけるハウジングを示す平面図であり、図４は同実施の形態１におけるハウジングを示す一部断面側面図であり、図５は同実施の形態１におけるハウジングのビームスプリッタ取付位置を示す要部拡大平面図である。なお、図１と図２において、１点鎖線は設計上のレーザ光Ｉ、Ｒの設計光軸ｉ、ｒを表し、図２において、２点鎖線は光ディスクＤを表している。
【００２５】
この実施の形態１の光ピックアップは、ハウジング１０と、ハウジング１０の光学部品取付面１１ａの所定取付位置に取付けられるレーザ光源１、２、ビームスプリッタ３、コリメートレンズ４、立上げミラー５及びレンズホルダ７にて保持された対物レンズ６とを備えている。この場合、レーザ光源１には赤外レーザが、レーザ光源２には赤レーザが用いられる。
【００２６】
ハウジング１０は、矩形の底壁１１と、底壁１１の外周縁に沿って立ち上がる周囲壁１２とからなり、内部が浅い上方開口状の凹部とされている。また、周囲壁１２の直角に接する短辺及び長辺には、上端から下方へ切欠かれた切欠凹部１２ａ、１２ｂがそれぞれ形成されており、各切欠凹部１２ａ、１２ｂにレーザ光源１、２が取付けられている。
【００２７】
また、ハウジング１０の光学部品取付面１１ａにおいて、レーザ光Ｉ、Ｒの設計光軸ｉ、ｒの交点を略中心とするビームスプリッタ取付位置には、ビームスプリッタ３を当接させて位置決めさせる３個の仮位置決め凸部１３と、後述する３本の突起棒を挿通させるための３個の貫通孔１４と、ビームスプリッタ３をハウジング１０の光学部品取付面１１ａに接着する接着剤を収容する接着剤収容凹部１５が設けられている。
【００２８】
３個の仮位置決め凸部１３のうち、２個の仮位置決め凸部１３は、その当り面１３ａがレーザ光Ｉの設計光軸ｉに対して直角な方向に向いて線対称に配置され、残りの１個の仮位置決め凸部１３は、その当り面１３ａがレーザ光Ｒの設計光軸ｒに対して直角な方向に向いて、かつ設計光軸ｒを挟んで他の仮位置決め凸部１３と反対側に配置されている。この３個の仮位置決め凸部１３の各当り面１３ａに、立方体型のビームスプリッタ３の隣接する２側面が当接することにより、ビームスプリッタ３がハウジング１０の光学部品取付面１１ａの所定位置に仮位置決め可能となる。
【００２９】
接着剤収容凹部１５は、ビームスプリッタ取付位置の略中心に形成された多角形状の窪みであり、その外周角部には円周方向に略等ピッチで３個の小さな予備凹部１６が接着剤収容凹部と連通して形成されている。この接着剤収容凹部１５にはビームスプリッタ３をハウジング１０に接着するための接着剤Ｓが塗布され、ビームスプリッタ３を接着剤Ｓの上から押え付けた際に接着剤収容部１５から溢れ出た未硬化状態の接着剤Ｓが各予備凹部１６に流れて受容される。
【００３０】
３個の貫通孔１４は、前記接着剤収容凹部１５の周囲であって、各予備凹部１６の間に円周方向に略等ピッチで配置されている。この場合、設計光軸ｉ上に予備凹部１６と貫通孔１４が１個ずつ配置され、設計光軸ｉを挟んでその両側に２個の予備凹部１６と２個の貫通孔１４がそれぞれ配置されている。
【００３１】
次に、図６〜図９を参照しつつ本発明の光ピックアップの組立装置について説明する。なお、図６は同実施の形態１における光ピックアップの組立装置の装置本体を示す側面図であって、ハウジングへのビームスプリッタの取付調整中の状態を表し、図７は同実施の形態１における光ピックアップの組立装置の装置本体を示す平面図であって、ハウジングへのビームスプリッタの取付調整中の状態を表し、図８はビームスプリッタを接着剤に押し付けた状態を示す要部平面図であり、図９は組立装置の突起棒によりビームスプリッタの取付対向面の角度調節中の状態を示す要部側断面図である。
【００３２】
この光ピックアップの組立装置は、ハウジング１０を支持する支持手段と、接着剤の未硬化状態において、ビームスプリッタ３の取付対向面の角度を調整するビームスプリッタ角度調整手段とが一体となった装置本体３０を備えている。
【００３３】
具体的に説明すると、装置本体３０は、ベース３１と、このベース３１上に立設され、ハウジング１０の一対の短辺のうちの一方の短辺角部を支持する支持壁３２と、ハウジング１０の他方の短辺角部を支持する一対の支柱３３、３３とを備え、支持壁３２及び一対の支柱３３、３３にて支持手段が構成されている。
また、ビームスプリッタ角度調整手段は、ハウジング１０の３個の貫通孔１４にそれぞれ挿通され、ビームスプリッタ３の取付対向面３ａに当接する頂部が丸みを有する３本の突起棒４１と、各突起棒４１をそれぞれ独立に上下微動させる３つの上下微動ユニット４２とを備えている。上下微動ユニット４２は、前記支持手段にて支持されたハウジング１０の下方に延びて先端にて突起棒４１を垂直に保持する水平アーム部４３と、水平アーム部４３を支持しつつ上下に微動させる上下微動機構部４４とを備える。この上下微動機構部４４としては、水平アーム部４３の基端に設けられた内支柱部４５と、この内支柱部４５を上下動可能に保持する筒状の外ガイド支柱部４６と、調整ノブ４７及び調整４７を回転自在に保持する保持部４８と、外ガイド支柱部４５の側壁を貫通して内部に配置された調整ノブ４６の内端に固着された図示しないピニオン部材と、このピニオン部材と噛合する前記内支柱部４５の側面に上下長手方向に付設された図示しないラック部材とを備え、調整ノブ４７を回すことにより内支柱部４５及び水平アーム部４３を上下方向に微小移動させ、突起棒４１を上下微動させるように構成されている。
【００３４】
さらに、この光ピックアップの組立装置は、予め立上げミラー５が取付けられたハウジング１０にビームスプリッタ３を取付ける場合に対応することができるように、図１０に示すように、接着剤を介してハウジングのビームスプリッタ取付位置に仮位置決め状態で設置された立上げミラー５に投光する投光手段５１と、この投光手段５１にて投光され立上げミラー５を回折してビームスプリッタ３に入射し、ビームスプリッタ３の反射面を反射した光Ｂをビームスプリッタ３に向けて反射する反射ミラー５２と、前記投光手段５１と一体状に設けられ、かつ反射ミラー５２からビームスプリッタ３及び立上げミラー５を経由する逆光Ｂ′を検出する逆光検出手段５３とがさらに備えられる。投光手段５１と逆光検出手段５３とが一体型のものとしては例えばオートコリメータが用いられる。
【００３５】
次に、このような組立装置を用いて、予め立上げミラー５が取付けられたハウジング１０にビームスプリッタ３を取付ける場合の組立方法について、図６〜図１０を参照しつつ説明する。
Ｓ１：先ず、装置本体３０にハウジング１０を設置する。これにより、３本の突起棒４１の上端がハウジング１０の３個の貫通孔１４に挿入される。
この際、各突起棒４１の上端がビームスプリッタ３の取付対向面（下面）３ａに当接するように、各突起棒４１は初期位置に再設定されている。
Ｓ２：接着剤塗布工程において、ハウジング１０の光学部品取付面１１ａの接着剤収容凹部１５に、所定量の接着剤Ｓを塗布する。この接着剤Ｓは光硬化性のものを用いる。
Ｓ３：ビームスプリッタ設置工程において、接着剤Ｓの上からビームスプリッタ３を押し付けつつ、３個の仮位置決め凸部１３の当り面１３ａにビームスプリッタ３の側面２面を当接させて仮位置決めした状態で設置する。この際、ビームスプリッタ３にて接着剤Ｓが接着剤収容凹部１５内で広がり、接着剤Ｓの余剰分が３個の予備凹部１６に流れ込む。
【００３６】
Ｓ４：ビームスプリッタ角度調整工程において、一体化された投光手段５１及び逆光検出手段５３（受発光及び光学部品ユニット）を立上げミラー５の上方所定位置に配置し、かつ反射ミラー５２をビームスプリッタ３の側方所定位置に配置し、その後、投光手段５１にてレーザ光Ｂを立上げミラー５に投光する。これにより、レーザ光Ｂが立上げミラー５を反射し、その反射した光Ｂがビームスプリッタ３に入射して反射面３ｂにて反射し、その反射した光Ｂが反射ミラー５２に照射し、反射ミラー５２を反射した逆光Ｂ′はビームスプリッタ３にて反射し、立上げミラー５にて反射して逆光検出手段５３に入射する。この逆光Ｂ′を逆光検出手段５３にて検出し、ＣＲＴモニタにより画像表示させる。そして、ＣＲＴモニタの画像を見ながら、任意の上下微動ユニット４２の調整ノブ４７を回して突起棒４１を上下方向に微動させて突起棒４１をビームスプリッタ３の取付対向面３ａに対して押し引きし、それによって取付対向面３ａの角度（傾き）を微調整することにより、ビームスプリッタ光軸を設計光軸ｉ、ｒ（図１参照）に一致させる。つまり、ＣＲＴモニタには、設計光軸ｉ、ｒと実際のビームスプリッタ光軸とが表示されており、ビームスプリッタ光軸を設計光軸ｉ、ｒに一致させるように各上下微動ユニット４２を操作してビームスプリッタ３を微動させる。このとき、ビームスプリッタ３の取付対向面３ａに当接する各突起棒４１の頂部が丸みを有する形状であるため、ビームスプリッタ３をスムーズに高精度に微動させることができる。
Ｓ５：ビームスプリッタ光軸が設計光軸ｒに一致したと判断すれば、この状態でビームスプリッタ３の上方からＵＶ照射機にて紫外線を接着剤Ｓに照射して、接着剤Ｓを速やかに硬化させる。
Ｓ６：ハウジング１０を装置本体３０から取上げる。
【００３７】
本発明によれば、ハウジング１０の光学部品取付面１１ａと平行な揺動方向のビームスプリッタ３のスプリッタ光軸角度に関しては、３個の仮位置決め凸部１３によって目標とする設計光軸ｉ、ｒに対して高精度（±５分以内）に保つことができ、かつハウジング１０の光学部品取付面１１ａと接近離間する揺動方向のビームスプッリッタ３のスプリッタ光軸角度に関しては、ビームスプリッタ角度調整手段によって目標とする設計光軸ｉ、ｒに対して高精度（±５分以内）に保つことができ、この位置でビームスプッリッタを接着剤により固定することができ、高精度な光ピックアップを得ることができる。
【００３８】
［実施の形態２］
上記実施の形態１（図３、図４及び図１０参照）では、予め立上げミラー５が取付けられたハウジング１０にビームスプッリッタ３を位置調整して設置する場合について説明したが、この実施の形態２では、図１１に示すように、立上げミラーよりも先にビームスプッリッタ３をハウジング１０に位置調整して設置する場合に対応する。
【００３９】
この実施の形態２における光ピックアップの組立装置は、実施の形態１と同様にハウジングを支持する支持手段と、接着剤の未硬化状態において、ビームスプリッタの取付対向面の角度を調整するビームスプリッタ角度調整手段とを備え（図６、図７参照）、さらに、接着剤を介してハウジングのビームスプリッタ取付位置に仮位置決め状態で設置されたビームスプリッタに投光する投光手段６１と、この投光手段６１にて投光されビームスプリッタ３の反射面３ｂで反射した光Ｃを検出する反射光検出手段６２とを備えている。投光手段６１としては、光ピックアップに使用されるのと同じ半導体レーザが用いられる。反射光検出手段６２としては、ＣＲＴモニタにて画像を見ることができるようにＣＣＤカメラが用いられる。
【００４０】
この実施の形態２の組立装置を用いる光ピックアップの組立方法では、上述した実施の形態１の組立方法の上記ステップＳ４のみが異なり、その他は同じである。このステップＳ４と異なるステップＳ４′は以下の如くである。
Ｓ４′：ビームスプリッタ角度調整工程において、投光手段６１をビームスプリッタ３の側方所定位置に配置し、かつ反射光検出手段６２をビームスプリッタ３の後方所定位置（例えば立上げミラー取付位置付近）に配置し、その後、透光手段６１にてビームスプリッタ３に投光する。これにより、レーザ光Ｃがビームスプリッタ３の反射面３ｂで反射し、その反射した光Ｃが反射光検出手段６２にて入射する。この反射光Ｃを反射光検出手段６２にて検出し、ＣＲＴモニタにより画像表示させる。そして、ＣＲＴモニタの画像を見ながら、ビームスプリッタ光軸を設計光軸に一致させるようにビームスプリッタ用角度調整手段を操作してビームスプリッタ３を微動させる。
この実施の形態２においても、実施の形態１と同様に、高精度な光ピックアップを得ることができる。
【００４１】
［他の実施の形態］
１．上記実施の形態では、ビームスプリッタの一側面に２個の仮位置決め凸部が当接し、ビームスプリッタの前記一側面に隣接する他側面に１個の仮位置決め凸部が当接するよう、仮位置決め凸部を３箇所に配置した場合を例示したが、これには限定されず、ビームスプリッタの隣接する前記一側面と他側面に当接するものであればよいため、例えば前記一側面と他側面に当接する平面視Ｌ字型の仮位置決め凸部を１箇所に設けるようにしてもよい。
２．上記実施の形態では、ハウジングに３個の貫通孔を設け、かつ各貫通孔に突起棒を挿通させてビームスプリッタの取付対向面の角度を調整する場合を例示したが、ビームスプリッタの取付対向面における４箇所のコーナー部近傍に４本の突起棒を当接させて取付対向面角度を調整するもよく、そのためにハウジングに４個の貫通孔を設けてもよい。この場合、接着剤収容凹部に連通する４個の予備凹部を各貫通孔間に配置させた構成とするのが好ましい。
【００４２】
【発明の効果】
本発明によれば、光ピックアップを組立てるに際して、接着剤の未硬化状態において、前記各突起棒を個々に変位させビームスプリッタの取付対向面に対して押し引きして、ハウジングの光学部品取付面に対するビームスプリッタの間隔及びビームスプリッタの取付対向面の角度を高精度に調整することができる。この結果、ハウジングの光学部品取付面と平行な揺動方向のビームスプリッタのスプリッタ光軸角度を、目標とする設計光軸に対して高精度（±５分以内）に保つことができることに加え、さらに、ハウジングの光学部品取付面と接近離間する揺動方向のビームスプッリッタのスプリッタ光軸角度を、目標とする設計光軸に対して高精度（±５分以内）に保つことができ、この位置でビームスプッリッタを接着剤により固定することができ、高精度な光ピックアップを得ることができる。また、本発明は、現行の光ピックアップ生産工程を大幅に変更することなく、容易に実施することができる。
【図面の簡単な説明】
【図１】本発明の実施の形態１の光ピックアップを示す平面図である。
【図２】同実施の形態１の光ピックアップを示す一部断面側面図である。
【図３】同実施の形態１におけるハウジングを示す平面図である。
【図４】同実施の形態１におけるハウジングを示す一部断面側面図である。
【図５】同実施の形態１におけるハウジングのビームスプリッタ取付位置を示す要部拡大平面図である。
【図６】同実施の形態１における光ピックアップの組立装置の装置本体を示す側面図であって、ハウジングへのビームスプリッタの取付調整中の状態を表す。
【図７】同実施の形態１における光ピックアップの組立装置の装置本体を示す平面図であって、ハウジングへのビームスプリッタの取付調整中の状態を表す。
【図８】ビームスプリッタを接着剤に押し付けた状態を示す要部平面図である。
【図９】組立装置の突起棒によりビームスプリッタの取付対向面の角度調節中の状態を示す要部側断面図である。
【図１０】同実施の形態１における光ピックアップの組立装置の他の構成及び組立方法を説明する説明図である。
【図１１】実施の形態２における光ピックアップの組立方法を説明する説明図である。
【図１２】従来の光ピックアップの一部断面側面図である。
【図１３】同従来の光ピックアップにおけるビームスプリッタを示す要部拡大断面図である。
【図１４】同従来の光ピックアップにおけるビームスプリッタを示す要部平面図である。
【符号の説明】
３  ビームスプリッタ
３ａ  取付対向面
３ｂ  反射面
５  立上げミラー
１０  ハウジング
１１ａ  光学部品取付面
１３  仮位置決め凸部
１４  貫通孔
１５  接着剤収容凹部
１６  予備凹部
４１  突起棒
５１、６１  投光手段
５２  反射ミラー
５３  逆光検出手段
６２  反射光検出手段
ｉ、ｒ  設計光軸
Ｓ  接着剤
【図１】
2004164805.tif 000003
【図２】
2004164805.tif 000004
【図３】
2004164805.tif 000005
【図４】
2004164805.tif 000006
【図５】
2004164805.tif 000007
【図６】
2004164805.tif 000008
【図７】
2004164805.tif 000009
【図８】
2004164805.tif 000010
【図９】
2004164805.tif 000011
【図１０】
2004164805.tif 000012
【図１１】
2004164805.tif 000013
【図１２】
2004164805.tif 000014
【図１３】
2004164805.tif 000015
【図１４】
2004164805.tif 000016